(57)【特許請求の範囲】
【請求項１】
切換装置と、
該切換装置を動作させるアクチュエータと、
を備える指令装置であって、
前記アクチュエータは、そのアクチュエータ及び前記切換装置の長手軸方向に沿って別々に移動し得る少なくとも二つの第１プランジャ要素を有し、
前記切換装置は空間的に隔離され電気的に絶縁された少なくとも二つのコンタクタを有し、前記各コンタクタは割り当てられた第１プランジャ要素と付加的に介在された第２プランジャ要素とによって動かすことができ、前記各コンタクタに割り当てられた各第２プランジャ要素同士が固定連結された一つの押圧ピースであって、前記第１プランジャ要素の移動方向に沿ってその第１プランジャ要素に向かう側に突出してその第１プランジャ要素と相互に作用し合う少なくとも二つの圧力ウェブを有し、前記少なくとも二つの第１プランジャ要素の一つを介して前記圧力ウェブの一つに圧力が加えられると傾き得るように構成されている押圧ピースが形成され、
前記少なくとも二つのコンタクタは、少なくとも二つのスナップアクションディスクであり、少なくとも二つのスナップアクションディスクは、ディスク面が前記第１プランジャ要素の移動方向に対して、垂直または略垂直となるように、同一または略同一平面上に配置され、前記押圧ピースが傾くと二つのスナップアクションディスクのうち一方を介して切換が起こり、他方のスナップアクションディスクを介した切換には影響しないように構成された
指令装置。
【請求項２】
前記少なくとも二つの第１プランジャ要素は、少なくとも二つのスナップアクションディスクの上方にそれぞれ配置される
請求項１記載の指令装置。
【請求項３】
二つの第１プランジャ要素と二つのコンタクタとが備えられていることを特徴とした、請求項１または２記載の指令装置。
【請求項４】
一方のコンタクタがブレイク接点であり、他方のコンタクタがメイク接点であることを特徴とした、
請求項３に記載の指令装置。
【請求項５】
各コンタクタが切換接点を有することを特徴とした、
請求項３に記載の指令装置。
【請求項６】
少なくとも一つのコンタクタと前記押圧ピースとの間に弾性要素が備えられていることを特徴とした、
請求項１〜５の何れかに記載の指令装置。
【発明の詳細な説明】
【０００１】
【発明の属する技術分野】
本発明は、少なくとも二つの第１プランジャ要素と切換装置とを有する、アクチュエータを有する指令装置に関するものである。切換装置は、空間的に隔離され電気的に絶縁された少なくとも二つのコンタクタを備える。各コンタクタは、割り当てられた第１プランジャ要素と付加的に介在した第２プランジャ要素とによって動かすことが可能である。
【０００２】
【従来の技術】
この種類の指令装置は既に公知である。それらの装置には、多数の押しボタンまたはボタンを小スペースに収納できる。また、例えば二つの異なる電気回路のように、一つの動作により独立したプロセスが引き起こされるようになっている機能が支配的である方法においても、よく用いられる。
【０００３】
アクチュエータにおいて相互作用するプランジャ要素、つまり第１プランジャ要素と、その間の第２プランジャ要素と、コンタクタとが必要である。ここで、コンタクタの軸は通常第１プランジャ要素の外側に設けられるので、特にアクチュエータと切換装置とを取り外しができるようにしようとすると、該コンタクタは第１プランジャ要素によって動かすことができない、あるいは少し動かすことができるのみとなる。
【０００４】
【発明が解決しようとする課題】
しかし、そのような指令装置は不都合な点もあり、特に第２プランジャ要素を誘導するためには比較的大きな構造が必要となる。
さらに、第２プランジャ要素の誘導は、適切な誘導作用を実際に得るために、アクチュエータのある構造深さを必要とする。しかし、システムおよび切換装置のサイズが絶えず縮小していることに対して、大きな組立深さは望ましくない。
【０００５】
本発明の目的は、導入部で述べたようなタイプの指令装置を改善し、構造的に小さくすることができ、また組立および取付のための深さを比較的より小さくすることができるようにすることである。
【０００６】
【課題を解決するための手段】
この目的は、本発明において、各第２プランジャ要素を互いに固定連結することにより達成される。この場合、空間的に隔離されたコンタクタ（接触部）を別々に動かすためには、一つの押圧ピースを成す固定連結した第２プランジャ要素を傾ければ全く十分であるという点を利用する。これは、複雑に構成された第２プランジャ要素を、独立させて誘導することがもはや必要ではないということを意味する。極端な場合、固定連結したプランジャ要素はプレート状に構成することが可能で、容易に指令装置の構造高さを減らすことができる。
【０００７】
コンタクタが比較的短い接触行程を有することが特に望ましい。この寸法は、固定連結した第２プランジャ要素のわずかな傾きが、切換行程を引き起こすのに既に十分であることを意味する。さらに、固定連結したプランジャ要素は、ほとんど遊びなく例えば切換装置のハウジングに収納することができ、これは単純ではあっても正確な誘導を可能にする。これは、信頼でき正確なコンタクタの切換作用に貢献する。
【０００８】
特に望ましい実施例には、二つの第１プランジャ要素と二つのコンタクタとが備えられる。
本発明が発展し、少なくとも一つの、望ましくは全てのコンタクタがスナップアクションディスクを備えるならば、特に有益である。スナップアクションディスクが特に小さい接触行程を有しているため、指令装置の構造高さを小さくする。これに関して、もし各コンタクタが切換接点を有していれば有益である。このように、キーで操作するスイッチの場合、二つの電気回路における所望のプロセスを引き起こすために、例えばそのキーを回すことにより各場合にメイク接点を開きブレイク接点を閉じることが可能である。
【０００９】
特にコンタクタが短い接触行程を有するとき、オペレータにはっきりと切換をしたことが分かるようにするために、より大きな切換行程を有するコンタクタに対応する方法で、少なくとも一つのコンタクタと固定連結されたプランジャ要素との間に圧縮バネのような弾性要素を備えることも、さらに提案できる。
【００１０】
【発明の実施の形態】
図１から図３は、本発明による指令装置の切換装置１を例示する。切換装置１は、コネクション接点３を有する底部４と、管状スリーブ５の設けられた基部６とを備えた、二つの部分から成るハウジング２を有する。基部６と底部４とは、互いに係合している。
【００１１】
ハウジング２の底部４において、二つのスナップアクションディスク７、８は単一の押圧ピース９により作動され、それがなければ別々に誘導される第２プランジャ要素を必要とする。
管状スリーブ５は、図４に示すように、アクチュエータ３０に係合する。長円形の押圧ピース９は、円弧状の形状で、且つ切換装置の長手軸に対して同心的に設けられた、圧力ウェブ１０、１１を有する。圧力ウェブ１０、１１は、アクチュエータ３０の第１プランジャ要素３１、３２と相互に作用し合う。例えば第１プランジャ要素３１を介し圧力ウェブ１１に対し圧力を加えた結果、図１の押圧ピース９は右に傾き、その際スナップアクションディスク７の切換プロセスに影響を及ぼすが、スナップアクションディスク８の切換には影響しない。
【００１２】
このような方法で、該プランジャ要素をアクチュエータ３０と切換装置１の長手軸３３に沿って別々に動かすことができる。一方で、アクチュエータ３０の第１プランジャ要素３２により圧力ウェブ１０に十分な圧力がかかると、図１の押圧ピース９は左に傾き、スナップアクションディスク８を介して切換が起こり、その際スナップアクションディスク７の切換には影響を及ぼさない。
【００１３】
オペレータにとって切換プロセスをより知覚できるものとするために、圧縮ばね１２が、押圧ピース９と各スナップアクションディスク７との間に設けられる。このように、連携するスナップアクションディスクは、片側の押圧ピース９を介して最小の範囲で下に押されることではなく、むしろ相対的に大きいある作動行程の後にのみ切り換えられることが望ましい。このため、作動行程を規定する圧縮ばね１２が設けられる。所定の作動行程が達成された後にのみ、スナップアクションディスク７、８は動く。結果として、例えばスナップアクションスイッチのように非常に小さな接触行程の接触器の場合にも、オペレータは切換プロセスをはっきり認識することができる。
【００１４】
圧縮ばね１２は押圧ピース９の対応する凹部１３に格納され、各ペグ１４はさらに固定のため該凹部の底に配設される。
押圧ピース９は対向するラグ１５、１６により誘導され、いくらかそれらより大きなガイド溝１７、１８により押圧ピース９はある角度に傾く。
【００１５】
ランプホルダ１９は、切換装置１の長手軸３３を中心として配設される。例として二つの向かい合う場所にランプ接点２０を有し、ラッチングラグ２１によりハウジング２内に保持される。（図３を参照。）
圧力ウェブ１０、１１は、図１と２とにより明らかなように、このランプホルダ１９を部分的に取り囲む。
【００１６】
さらにアクチュエータ３０は切換装置１のように管状スリーブ３４を有し、該管状スリーブ３４は、切換装置１の管状スリーブ５へ押され、且つ例示されていないラッチング手段により管状スリーブ５に係合することが可能である。第１プランジャ要素３１、３２は、例として示されている回転ノブ３５をニュートラル位置を中心として左または右へ回転させることにより、管状スリーブ３４に沿って動くことができる。それにより、圧力ウェブ１１あるいは１０の方向にスナップアクションディスク７または８を交互に動かすことができる。
【００１７】
図５には、第１プランジャ要素３１、３２を下から見た図が示されている。この例では、プランジャ要素は互いから離れて動くことのできる管状体の半分から構成されている。
本発明では、二つのプランジャ要素が一つの固定押圧ピース９になっていることで、切換装置１の構造をかなり単純にでき、また該切換装置１の構造高さを小さくすることができる。さらに、不適切な誘導のため個々のプランジャ要素が斜めになったり動かなくなったりすることがないので、切換装置は全般的に信頼できるものとなる。
【図面の簡単な説明】
【図１】本発明による指令装置のための二つのハウジング部を有する切換装置を、図２の切断線Ｉ−Ｉに沿って切断した断面図である。
【図２】図１における切換装置の、上方のハウジング部のない場合の開放平面図である。
【図３】図１の切断線II−IIに沿った切換装置の断面図である。
【図４】アクチュエータが配設された図１による切換装置の、部分断面側面図である。
【図５】図４によるアクチュエータを下から見た図である。
【符号の説明】
１…切換装置
２…ハウジング
３…コネクション接点
４…底部
５…管状スリーブ
６…基部
７…スナップアクションディスク
８…スナップアクションディスク
９…押圧ピース
１０、１１…圧力ウェブ
１２…圧縮ばね
１３…凹部
１４…ペグ
１５、１６…ラグ
１７、１８…ガイドグルーブ
１９…ランプホルダ
２０…ランプ接点
２１…ランプホルダ用ラッチングラグ
３０…アクチュエータ
３１、３２…第１プランジャ要素
３３…長手軸
３４…管状スリーブ
３５…回転ノブ
【図１】
0004398035.tif 000002
【図２】
0004398035.tif 000003
【図３】
0004398035.tif 000004
【図４】
0004398035.tif 000005
【図５】
0004398035.tif 000006